(57)【要約】【課題】買物かご内に納まる大きさを有して買物かごの開口した上端縁にそって取り付け可能であり、購入代金を読み取った商品を収容し、支払いをした後には買物かごから引き出して持ち運びが可能な買物用バッグを提供する。【解決手段】スーパーマーケットや量販店のような店舗に備え付けてある買物かご内に装着可能であり、上部を開口し、長方形袋状体に形成したバッグ本体１の開口周縁４に複数のフック９を設け、このフック９を買物かご３の上端縁５に引っ掛け可能としたものである。フック９は、開口周縁４の長辺部７と短辺部８の中央に設けたものであり、あるいは開口周縁４の両側長辺部７の両端に設けたものであり、更には、開口周縁４の４隅に設けたものである。【選択図】図１
0003124104.tif 000002
【実用新案登録請求の範囲】
【請求項１】
スーパーマーケットや量販店のような店舗に備え付けてある買物かご内に装着可能であり、上部を開口し、長方形袋状体に形成したバッグ本体１の開口周縁４に複数のフック９を設け、このフック９を買物かご３の上端縁５に引っ掛け可能としたことを特徴とする買物用バッグ。
【請求項２】
フック９は、開口周縁４の長辺部７と短辺部８の中央に設けたものである請求項１に記載する買物用バッグ。
【請求項３】
フック９は、開口周縁４の両側長辺部７の両端に設けたものである請求項１に記載する買物用バッグ。
【請求項４】
フック９は、開口周縁４の４隅に設けたものである請求項１に記載する買物用バッグ。
【請求項５】
スーパーマーケットや量販店のような店舗に備え付けてある買物かご内に装着可能であり、上部を開口し、長方形袋状体に形成したバッグ本体１の開口周縁４を袋状の紐挿通部１３とし、開口周縁４の両側長辺部７にそった紐挿通部１３内に連結用紐１２を挿し通し、連結用紐１２の両端を紐挿通部１３から引き出したことを特徴とする買物用バッグ。
【請求項６】
スーパーマーケットや量販店のような店舗に備え付けてある買物かご内に装着可能であり、上部を開口し、長方形袋状体に形成したバッグ本体１の開口周縁４を袋状の紐挿通部１３とし、開口周縁４の両側短辺部８中央から紐挿通部１３内に連結用紐１２を挿し通し、連結用紐１２の両端を紐挿通部１３から引き出したことを特徴とする買物用バッグ。
【請求項７】
スーパーマーケットや量販店のような店舗に備え付けてある買物かご内に装着可能であり、上部を開口し、長方形袋状体に形成したバッグ本体１の開口周縁４にそって２本の連結用紐１２を縫い通し、連結用紐１２の両端を引き延ばしたことを特徴とする買物用バッグ。
【請求項８】
スーパーマーケットや量販店のような店舗に備え付けてある買物かご内に装着可能であり、上部を開口し、長方形袋状体に形成したバッグ本体１の開口周縁４の４隅に連結用紐１２を取り付けたことを特徴とする買物用バッグ。
【請求項９】
連結用紐１２は布製である請求項５、６、７及び８に記載する買物用バッグ。
【請求項１０】
連結用紐１２は伸縮性を有するものである請求項５、６、７及び８に記載する買物用バッグ。
【請求項１１】
スーパーマーケットや量販店のような店舗に備え付けてある買物かご内に装着可能であり、上部を開口し、長方形袋状体に形成したバッグ本体１の開口周縁４の両側短辺部８に伸縮性を有する連結用紐１２を取り付けたことを特徴とする買物用バッグ。
【考案の詳細な説明】
【技術分野】
【０００１】
本考案は買物用バッグに関し、特に、スーパーマーケットや量販店のような大型店舗に備えられている買物かご内に装着し、購入した商品を収容する買物かごから商品を移し変えて収容するとともにそのまま持ち運びのできる買物用バッグに関するものである。
【背景技術】
【０００２】
スーパーマーケットや量販店のようなセルフサービスで商品を購入する店舗では、店内で商品購入に際して使用するプラスチック製の買物かごが常備してある。客はこの買物かごに購入すべき商品を入れ、チェックアウトカウンターに持参して支払い精算をする。
【０００３】
チェックアウトカウンターは、中央のバーコードリーダーの両側に買物かご載せるカウンターを有している。片側のカウンターは購入した商品を収容した買物かごを載せ、反対側のカウンターは商品移し変え用の空き買物かごを載せるようになっている。
【０００４】
レジ係りの店員は、片側のカウンターに置かれた買物かごから取り出した商品の価格をバーコードリーダーで読み取り、反対側のカウンターに設置した空き買物かごに移し変える。全ての商品のチェックアウト作業を終了すると店員は商品持ち帰り用のレジ袋を商品を移し変えた側の買物かご内に入れる。客は、金銭の支払いを済ませると他の場所にあるテーブルに買物かごを運び、商品をレジ袋に入れて持ち帰る。
【０００５】
店員は、次の客の商品精算のために空きかごをバーコードリーダー横の商品を移し変えるべき位置のカウンターに設置する。通常は、先の客が使用してカウンターに置かれている空いた買物かごをバーコードリーダーの反対側に移し変えて使用している。しかし、買物かごをバーコードリーダーの反対側に移し変える作業は、長時間立ち姿でいる店員には労力負担が大きいものである。
【０００６】
また、家に持ち帰った商品は、冷蔵庫や他の場所に移し変えて保管するが、レジ袋はそのまま廃棄するかゴミ入れに使用して廃棄するものであり、買物後のレジ袋の有効活用がなされていないのが現状である。更に、レジ袋は丈夫なものであるが、牛乳や酒等の箱パックの角部で破れて商品の持ち運びができなくなる事態を生ずることがある。
【０００７】
レジ袋を無駄に消費することを防ぎ、また、資源を有効に活用するためにレジ袋の有料化が図られているが、反対意見が多く、現実化されていない。客が買物用のバッグを持参して商品を購入すればレジ袋の無駄な消費を防ぐことができ、資源の有効利用を図ることができる。
【０００８】
しかし、チェックアウト後の商品を買物かごからバッグに移し変えるのは面倒な作業である。そこで、商品を移し変える側の空き買物かごにあらかじめバッグを装着し、価格を読み取った商品は、直接、バッグ内に入れて支払いが済むと買物かごから取り出してそのまま持ち帰ることができ、レジ袋を必要としない買物用バッグが提供されている。
【０００９】
実用新案登録第３０６７１６５号（特許文献１）に記載される買物用バッグは、箱状の物１の内側に買物袋２を広げた状態で置き、買物袋の上部を箱状物１の四方外側へ折り返して使用するものである。精算した商品は買物袋に入れればよく、精算が終了すると買物袋の上部を持って持ち上げれば、商品はそのまま持ち帰ることができる。
【００１０】
また、特開２００２−１９９９２０号（特許文献２）に開示される発明は、購入した商品を収容する買物かごから空き買物かごに商品を移し変えるに際して空き買物かご内に装着する買物用バッグに関するものである。この買物用バッグは、上方を開口した袋状のバッグ本体２に連続してカバー部５を形成したものである。
【００１１】
客は、カウンター上の空き買物かごにバッグ本体２を入れ、カバー部５を買物かごの周壁上端部から外側に折り返して装着する。店員は、バーコードリーダーで金額を読み取った商品をバッグ本体２内に入れる。全ての商品の読み取りを終了し、支払いが済むと客は提げ手を持ってバッグ本体２を買物かごから引き上げればよく、商品を持ち帰ることができる。
【特許文献１】実用新案登録第３０６７１６５号公報
【特許文献２】特開２００２−１９９９２０号公報
【考案の開示】
【考案が解決しようとする課題】
【００１２】
特許文献１及び２に記載する発明は、いずれも買物用バッグの上部を買物かごの上端縁に折り返し、商品を買物用バッグに直接に入れるものであるが、買物かごには一対の取っ手が設けてあり、買物用バッグはこの取っ手の上に被せるように取り付けるので、商品精算が済んで買物用バッグを持ち上げる時に取っ手に引っかかり、簡単に取り出しにくいものであった。
【００１３】
特に、特許文献２に記載する発明は、バッグ本体２にカバー部５を連設しなければならず、全体が大型となって持ち運びに不便であり、折りたたんでもかさばるものである。しかも、カバー部５を形成するために余分な生地を使用するので、縫製が面倒であり、単価が高くなる問題点を有している。
【００１４】
更に、買物の都度、バッグの上部を買物かごの上端縁に折り返して取り付けることは面倒なものであり、折り返しを切り返すことでバッグが傷みやすく、長期間の使用には耐えないものであった。
【００１５】
本考案は、上記する従来技術の問題点に鑑み、買物かご内に納まる大きさと形状を有して買物かごの開口した上端縁にそって取り付け可能であり、購入代金を読み取った商品を収容し、支払いをした後には買物かごから引き出して持ち運びが可能な買物用バッグを提供することを目的とするものである。
【課題を解決するための手段】
【００１６】
上記の目的を達成するために本考案買物用バッグは、スーパーマーケットや量販店のような店舗に備え付けてある買物かご内に装着可能であり、上部を開口し、長方形袋状体に形成したバッグ本体１の開口周縁４に複数のフック９を設け、このフック９を買物かご３の上端縁５に引っ掛け可能としたものである。フック９は、開口周縁４の長辺部７と短辺部８の中央に設けたものであり、あるいは開口周縁４の両側長辺部７の両端に設けたものであり、更には、開口周縁４の４隅に設けたものである。
【００１７】
また、本考案買物用バッグは、スーパーマーケットや量販店のような店舗に備え付けてある買物かご内に装着可能であり、上部を開口し、長方形袋状体に形成したバッグ本体１の開口周縁４を袋状の紐挿通部１４とし、開口周縁４の両側長辺部７にそった紐挿通部１４内に連結用紐１３を挿し通し、連結用紐１３の両端を紐挿通部１４から引き出したものである。
【００１８】
更に、本考案買物用バッグは、スーパーマーケットや量販店のような店舗に備え付けてある買物かご内に装着可能であり、上部を開口し、長方形袋状体に形成したバッグ本体１の開口周縁４を袋状の紐挿通部１４とし、開口周縁４の両側短辺部８中央から紐挿通部１４内に連結用紐１３を挿し通し、連結用紐１３の両端を紐挿通部１４から引き出したものである。
【００１９】
更にまた、本考案買物用バッグは、スーパーマーケットや量販店のような店舗に備え付けてある買物かご内に装着可能であり、上部を開口し、長方形袋状体に形成したバッグ本体１の開口周縁４にそって２本の連結用紐１３を縫い付けるように挿し通し、連結用紐１３の両端を引き出したものであり、上記の各考案において連結用紐１３は布製であるか伸縮性を有するものである。
【考案の効果】
【００２０】
本考案買物用バッグを構成するバッグ本体１は、スーパーマーッケットや量販店が備え付けてある買物かご３に納まる袋状体であり、広げた時に方形状に形成されるバッグ本体１の開口周縁４を買物かご３の上端縁５に着脱可能としてある。
【００２１】
従って、買物をし、チェックアウトカウンターで料金読み取りが済んだ商品は、バーコードリーダーの横に商品移し変えのためにあらかじめ置いてある空き買物かご３に装着したバッグ本体１に入れればよく、支払いが済めばバッグ本体１を買物かご３から引き出して持ち帰ることができる。
【００２２】
着脱手段として開口周縁４に複数のフック９を設けておけば、フック９を買物かご３の上端縁５に引っ掛けるだけで簡単に取り付けることができる。開口周縁４は方形状に広げられるので、価格を読み取った商品はバッグ本体１内に入れやすくなる。商品精算後は取っ手２を持ってバッグ本体１を買物かご３から引き上げるだけでフック９が外れて取り出すことができ、着脱は容易である。
【００２３】
フック９はバッグ本体１に紐を使用して連結しておけば、紐の長さだけフック９を延ばすことができるので、仮に、バッグ本体１の開口周縁４が買物かご３の上端縁５より小さくても紐の長さ範囲でバッグ本体１を買物かご３内に収めることが可能である。
【００２４】
バッグ本体１と買物かご３の着脱手段として連結用紐１３を使用することで装着が容易となる。バッグ本体１の開口周縁４の両側長辺部７に挿し通した２本の連結用紐１３を使用すれば、両側に引き出した２本の連結用紐１３を買物かご３の両側の上端縁５に巻き回して結び合わせることでバッグ本体１を買物かご３内に簡単に取り付けることができる。
開口周縁４の４隅に紐１３を取り付け、２本の紐１３を上端縁５に巻き付けても着脱が容易である。
【００２５】
布製以外に連結用紐１３として伸縮性を有する紐を使用し、２本の紐１３を環状に結び合わせ引き延ばすだけで上端縁５への着脱が可能である。特に連結具１６を使用すれば、連結具１６で２本の連結用紐１３を引き絞り、あらかじめ結び合わせておいた紐１３を環状に引き伸ばすことで上端縁５に巻き回すことができ、着脱が容易となる。更に、紐１３を使用すれば、買物をした後に２本の紐１３を巾着状に引き絞って商品を包み込むことができる。
【００２６】
本考案買物用バッグを使用して買物をすれば、レジ袋を必要とせず、資源の有効活用を図ることができる。しかも、買物かごからレジ袋に商品の移し変えをする必要がないので、移し変えに際して使用するテーブルは不要なものとなる。更に、バッグ本体１を引き出した後の空き買物かご３はバーコードリーダー横のカウンターにそのまま置かれているので、レジ店員は商品を移し変えるための空き買物かごを移動して設置をする必要がなく、労力を軽減できる。
【考案を実施するための最良の形態】
【００２７】
以下、図面に従って本考案の実施形態を詳細に説明する。
図１は、本考案買物用バッグの第一の実施形態を示すものであり、バッグ本体１は、布や合成樹脂等の適度の柔軟性を有する材質からなる生地を上部を開口した袋状に縫製仕上げたものであり、品物を入れ取っ手２を持って持ち運びができるようになっている。
【００２８】
バッグ本体１は、スーパーマーケットや量販店等の店内に備えてある合成樹脂製の買物かご３内に納まる大きさや形状を有しており、全体を広げた時のバッグ本体１の開口周縁４は買物かご３の開口した上端縁５と同じく長方形状の大きさとなっている。尚、長方形状の上端縁５は、一般的には扁平鍔状に外部へ水平に突出した形状となっている。
【００２９】
尚、図２の買物かご３は一例を示すものであるが、スーパーマーケットや量販店等の店舗によって外観のデザインは相違するも底面よりも上端縁５方向へ拡開状に広げた箱状体であって一対の取っ手６を設け、横長な長方形とした大きさや形状は同じであり、バッグ本体１は異なる店舗の買物かご３に対応することができる。
【００３０】
第１の実施形態における買物用バッグの特徴は、バッグ本体１を買物かご３内に収容して広げた時、バッグ本体１の開口周縁４と買物かご３の上端縁５とが接するようにして着脱可能としたことである。
【００３１】
そして、着脱のための第１手段としてバッグ本体１を広げた時に方形状となる開口周縁４の長辺部７と短辺部８の４辺中央にフック９を外向きに固定する。このフック９は、金属製あるいは合成樹脂製の材質からなり、全体として下向きＵ字形状や半円形状としてあり、フック９の固定手段は、例えば、接着剤を使用したり縫い付ける等任意である。
【００３２】
このようにバッグ本体１の上部４辺にフック９を設けたことにより、図３に示すように、バッグ本体１を買物かご３内に入れてフック９を買物かご３の上端縁５に引っ掛ければ、バッグ本体１の開口周縁４は買物かご３の上端縁５内面に張り付けた状態となり、バッグ本体１は買物かご３内に広げた状態で取り付けられることになる。
【００３３】
客は、スーパーマーケットや量販店で購入した商品を備え付けの買物かごに入れ、前記したチェックアウトカウンターに持参し、片側のカウンターに載せる。バーコードリーダーの反対側においてカウンター上には商品を移し変えるための空き買物かご３が置いてあるので、客はこの空き買物かご３内に前記のようにしてバッグ本体１を取り付ければよい。
【００３４】
レジ係り店員は、買物かご３から取り出した商品の価格をバーコードリーダーで読み取り、この商品をバッグ本体１内に入れる。全ての商品の価格を読み取り、支払いが済むと客は取っ手２を持ってバッグ本体１を買物かご３から引き上げれば、フック９は自動的に外れるのでバッグ本体１を簡単に取り出すことができる。
【００３５】
尚、買物かご３の取っ手６は通常はコ字形状となっているので、チェックアウトカウンターに置いてある買物かご３の取っ手６は両側に倒れて上端縁５上に載っている。しかし、両取っ手６の回動連結部１０間は離れているのでバッグ本体１の長辺部７の開口周縁４に付けたフック６は上端縁５に引っ掛けやすい。
【００３６】
しかし、倒れた取っ手６は、買物かご３の長辺側から短辺側にかけた上端縁５に載っていることがある。この場合を考慮してフック９は取っ手６の上から上端縁５にかけて引っ掛けることのできる大きさであることが望ましい。
【００３７】
上記の説明においてフック９は、バッグ本体１の開口周縁３の両側長辺部７および両側短辺部８の中央に設けた場合であるが、これに限定するものではない。例えば、両側長辺部７の両端にフック７を設けてもよく、長辺部７の２個のフック９を買物かご３の長辺側の上端縁５に取っ手６を介して引っ掛ければバッグ本体１の開口周縁４は買物かご３の上端縁５にそって方形状に開くことができる。
【００３８】
あるいは、開口周縁４の４隅にフック９を設けてもよい。フック９は買物かご３の上端縁５の４隅に取っ手６を介して引っ掛けることができ、バッグ本体１の開口周縁４は方形状に開いて保持することができる。
【００３９】
尚、フック９は４個の場合を説明したが、数は限定するものではなく任意に選択することができる。また、フック９を長辺部７に２個設けた場合や、４隅に設けた場合、フック９は取っ手６の上から引っ掛けることになるが、取っ手６を持ち上げて上端縁５に引っ掛けるようにしてもよい。
【００４０】
上記の説明ではフック９は、その基部をバッグ本体１に直接に固定した状態であるが、これに限定するものではない。例えば、フック９の基部を適当な長さの紐を介してバッグ本体１に連結し、バッグ本体１の外側あるいは内側にぶら下げてもよく、バッグ本体１を買物かご３内に入れてフック９を上端縁５に引っ掛けてもよい。
【００４１】
更には、図４に示すように、バッグ本体１の内側あるいは外側にフック９の基部を挿し込むことのできる取付具１１を設け、この取付具１１にフック９を取り付けるようにしてもよい。フック９の基部を取付具１１に挿し込み、抜けることのないようにしておけばよく、フック９を買物かご３の上端縁５に引っ掛けることができる。使用しない時にはフック９をバッグ本体１内に収容しておけばよい。
【００４２】
図５は、本考案買物用バッグの第２の実施形態を示すものであり、前記の実施形態と同じ部分は同じ符号を使用している。
この実施形態においては、バッグ本体１の開口周縁４と買物かご３の上端縁５との着脱手段として連結用の紐１２を使用することに特徴を有している。
【００４３】
即ち、バッグ本体１の少なくとも両側長辺部７にそった開口周縁４を細長い袋状にして紐挿通部１３を形成し、紐挿通部１３の両端部に紐挿通孔１４を形成する。いずれか片側の紐挿通孔１４から紐挿通部１３内に連結用紐１２を挿し通して反対側の紐挿通孔１４から引き出し、連結用紐１２の両端を紐挿通部１３の両側に長く引き延ばしたものである。
【００４４】
このような構成のバッグ本体１を前記と同じく買物かご３内に入れ、外部に引き出した両側の連結用紐１２は、例えば、買物かご３の鍔状とした上端縁５の下側に回して結べばよい。図６は一例を示すものであり、まず、片側の短辺側の上端縁５の両側から下側に２本の紐１２を回して結びつけ、その後、反対側の上端縁５下側に２本の紐１２を引っ張って結びつける。
【００４５】
このようにすれば、開口周縁４の両側長辺部７は長さ方向に引っ張られた状態となり、バッグ本体１の開口周縁４は方形状に広がって買物かご３の上端縁５に接して取り付けられ、バッグ本体１は買物かご３内に装着することができる。
【００４６】
２本の連結用紐１２は、買物かご３の短辺側の上端縁５だけではなく長辺側の上端縁５下側に回して結んでもよく、いずれにしてもバッグ本体１は広げた状態で買物かご３内に設置されることになる。また、買物かご３の側面には多数の孔が形成してあるので、この孔を利用して２本の紐１２を結ぶようにしてもよい。尚、開口周縁４を袋状の紐挿通部１３に形成するには、開口周縁４を外側あるいは内側に折り返し、折り返し先端縁を縫製仕上げをすればよい。
【００４７】
バッグ本体１の両側に引き延ばした２本の連結用紐１２を連結するのに公知の連結具を使用すれば便利である。図７は、従来のバッグやナップザック等でに使用される合成樹脂製の連結具１５の一例を示すものであり、片側を開口した扁平筒状体である連結具本体１６の両面に連結用紐１２の貫通孔１７を形成する。
【００４８】
この連結具本体１６内には中実状の挟持体１８が連結具本体１６の開口部を通して出入り可能に挿し込んであり、挟持体１８の胴部には２本の紐１２を挿通可能な貫通孔１９が形成してある。
【００４９】
連結具本体１６内に固定したスプリング２０の先端と挟持体１８の下面とは連結してある。常態ではスプリング２０の伸弾性作用で挟持体１８は連結具本体１６の外側に飛び出ているが、図示しないストッパーの作用で抜け出ることがないようになっている。
【００５０】
連結具１５の上下を指で掴み、挟持体１８をスプリング２０の伸弾性に抗して連結具本体１６内に押し込み、貫通孔１７と貫通孔１９とを一致させた状態で２本の連結用紐１２を両貫通孔１７、１９間に通し、挟持体１８を離せば、スプリング２０の伸弾性で挟持体１８は外側に飛び出し、スプリング２０の圧力で連結用紐１２は連結具本体１６と挟持体１８間に固定されることになる。
【００５１】
２本の紐１２を上端縁５に巻き回し、貫通孔１７と貫通孔１９を通した紐１２にそって連結具１５を引き上げれば２本の紐１２は絞られ、上端縁５に巻き付き、スプリング２０の圧力で緩むことはない。
【００５２】
連結用紐１２としては通常の布製の紐でもよいが、連結具１５を使用する場合には伸縮性を有するゴム製の紐を使用すると上端縁５への着脱を容易にすることができる。即ち、バッグ本体１の両短辺部８側において２本のゴム製連結用紐１２を連結具本体１６と挟持体１８の貫通孔１７、１９に挿し通して引き絞り、環状の大きさは上端縁５に巻き回した時よりも小さくしておく。
【００５３】
バッグ本体１を買物かご３内に入れ、片側の紐１２を大きく引き伸ばして買物かご３短辺側の上端縁５の下側に巻き回わせば、紐１２は縮む作用が働くので上端縁５に巻き付く。同じようにして反対側の上端縁５に紐１２を巻き付ければよく、バッグ本体１を買物かご３内に取り付けることができる。
【００５４】
上記の説明では２本の紐１２を使用して長辺部７の紐挿通部１３に別々に通した場合であるが、１本の紐１２を使用して両側の紐挿通部１３に通してもよい。この場合には紐１２の一端を片側の長辺部７の一方の紐挿通孔１４から紐挿通部１３に通して反対側の挿通孔１４から引き出す。更に、短辺部８の外側を通して紐１２の先端を反対側の長辺部７の挿通孔１４から入れ、そのまま紐挿通部１３にそって通して反端側の挿通孔１４から引き出せばよい。
【００５５】
紐１２は両側の紐挿通部１３を一回りして両端は片側の短辺部８側に引き延ばした状態となる。紐１２の中央部は短辺部８の外側に露出しているので、買物かご３に取り付ける場合には、紐１２の中央部を買物かご３の片側の上端縁５に巻き回し、反対側に引き延ばした２本の紐１２を買物かご３の上端縁５に巻き回して引き結べばよい。１本の紐１２が環状になって両側の上端縁５に巻き付くようになる。
【００５６】
尚、連結用の紐１２は、長辺部７の両端から引き出した場合について説明したが、これに限定することはない。開口周縁４の全長に紐挿通部１３を形成し、両側短辺部８の中央にそれぞれ紐挿通孔１４を形成し、片側の挿通孔１４から２本の紐１２を両側の長辺部７内を通して反対側の短辺部８に形成した紐挿通孔１４から引き出してもよい。両短辺部８に引き延ばした２本の紐１２を環状にして買物かご３の短辺側の上端縁５に巻きまわして結び合わせればよい。
【００５７】
尚、１本の紐１２を使用する場合には、片側の短辺部８の紐挿通孔１４から片側の長辺部７の紐挿通部１３内に紐１２を挿し通し、反対側の長辺部７の紐挿通部１３を通して一巡させ、紐１２の両端を片側短辺部８の紐挿通孔１４から引き出す。反対側の短辺部８の紐挿通孔１４には紐１２の中央部が位置するので、この中央部の紐１２を紐挿通孔１４か引き出し環状にして形成すればよい。
【００５８】
上記のように短辺部８から紐１２を引き出す場合でも連結具１５を使用することができる。この場合、布製紐１２ではなくゴム製の紐１２を使用することも可能である。尚、紐１２を使用してバッグ本体１を買物かご３に取り付ける場合でもフック９を補助的に使用することは可能である。
【００５９】
連結用紐１２をバッグ本体１の開口周縁４に取り付けるために袋状の紐挿通部１３を形成したが、これに限定するものではない。例えば、連結用紐１２を開口周縁４にそって縫い通すように挿通し、両端を長く引き伸ばすようにしてもよい。縫い通すために開口周縁５には複数の孔を適当な間隔で形成すれば便利である。
【００６０】
この場合には、２本の紐１２を両側の長辺部７にそって平行に縫い通し、紐１２の両端を両側に長く延ばしてもよい。前記の場合と同じく両側２本の紐１２を買物かご３の上端縁５に巻き回して結び付ければよい。
【００６１】
あるいは、２本の紐１２を片側の短辺部８中央から両側の長辺部７にそって平行に縫い通し、反対側の短辺部８中央から紐１２を長く引き延ばしてもよい。バッグ本体１の短辺部８両側に引き出した２本の紐１２を買物かご３の上端縁５に巻きまわして結べばよく、バッグ本体１は買物かご３内に広げた状態で装着される。これは布製紐ではなく伸縮性を有する紐１２も同様であり、連結具１５を使用して２本の紐１２を引き絞るようにしてもよい。
【００６２】
尚、連結用紐１２を使用して買物かご３内にバッグ本体１を取り付けるに際し、紐挿通部１３を形成し、この中に紐１２を挿通する必要はない。適当な長さに形成した単体４本の連結用紐１２をバッグ本体１の開口周縁４の４隅に連結するようにしてもよい。形状としては図５の場合と同じである。
【００６３】
即ち、４本の紐１２の一端を開口周縁４の４隅に適宜の手段で結びつける。そして、両側２本の紐１２を前記と同じようにして上端縁５の下側に巻き回し、結び合わせればよい。この場合にも連結具１５を使用することは可能である。
【００６４】
更に、前記したフック９や連結用紐１２を使用して買物かご３内に収容するバッグ本体１において、図８に示すように、ゴムのように伸縮性を有する連結用紐１２の両端を、バッグ本体１の短辺部８側において長辺部７両端に連結し、環状に形成してもよい。
【００６５】
この環状体の大きさは、買物かご３の短辺側の上端縁５に巻き回した大きさよりも小さく形成してある。従って、バッグ本体１を買物かご３内に入れ、両側の環状の紐１２を引っ張って上端縁５に巻き回すだけで装着が可能である。尚、伸縮性を有する紐１２は環状にすることなく、短辺部８にそった線状としてもよい。線状としても伸びるので上端縁５に巻き回すことは可能である。
【００６６】
また、図示していないが、買物を終了し、商品を収容したバッグ本体１の開口上面をカバーで覆うようにしてもよい。例えば、方形状としたカバーの片側長辺部をバッグ本体の長辺部７に縫着あるいはホックを使用して取り付ける。
【００６７】
カバーの反対側は自由端としておき、この自由端はバッグ本体１の反対側の長辺部７にホックを使用して連結できるようにしておく。通常は、自由端側を折り畳んでおき、バッグ本体１内に形成したポケット内に収容しておく。
【００６８】
バッグ本体１内に商品を入れた後、カバーをポケットから引き出して商品の上に広げ、自由端側をバッグ本体１の長辺部７に連結すればよい。カバーによってバッグ本体１内を見られることがなく、また、自転車のカゴの中に入れた時、カバーが遮蔽体となるので商品が盗まれることがない。
【産業上の利用可能性】
【００６９】
本考案買物用バッグは、スーパーマーッケットや量販店の店舗に備え付けの買物かごに簡単に着脱でき、価格を読み取った商品は買物かご３内に入れたバッグ本体１に入れ、客はバッグ本体１を取り上げて持ち帰ればよく、チェックアウトカウウンターの流れがよくなり、店舗の活性化を図ることができる。
【図面の簡単な説明】
【００７０】
【図１】本考案買物用バッグの第一の実施形態を示す斜視図である。
【図２】店舗に備え付けの買物かごの一例を示す斜視図である。
【図３】買物かご内にバッグ本体を入れた状態の斜視図である。
【図４】フックの一例を示す斜視図である。
【図５】本考案買物用バッグの第二の実施形態を示す斜視図である。
【図６】買物かご内にバッグ本体を入れ、紐を上端縁に巻き回した状態の斜視図である。
【図７】連結用紐の連結具を示す正面図である。
【図８】バッグ本体に取り付ける連結用紐の他の例を示す斜視図である。
【符号の説明】
【００７１】
１    バッグ本体
２    取っ手
３    買物かご
４    開口周縁
５    上端縁
６    取っ手
７    長辺部
８    短辺部
９    フック
１０  回動連結部
１１  取付具
１２  連結用紐
１３  紐挿通部
１４  紐挿通孔
１５  連結具
１６  連結具本体
１７  貫通孔
１８  挟持体
１９  貫通孔
２０  スプリング
【図１】
0003124104.tif 000003
【図２】
0003124104.tif 000004
【図３】
0003124104.tif 000005
【図４】
0003124104.tif 000006
【図５】
0003124104.tif 000007
【図６】
0003124104.tif 000008
【図７】
0003124104.tif 000009
【図８】
0003124104.tif 000010